(57)【要約】【課題】従来の空気清浄装置においては、遊技者は、遊技中に疲れやストレス及び眠気などを解消することが出来ず、隣の遊技者の煙草の煙などで健康的でないと感じていた。【解決手段】遊技者がスロットマシン１で遊技中に、トルマリンの粉末が付着したドアフレーム４の表面からマイナスイオンが発生し、遊技者に向けてこのマイナスイオンが放出されている。遊技者は、スロットマシン１に対面して遊技を行うため、呼吸の度にマイナスイオンを含んだ空気を吸い込むことになる。また、隣の遊技台から煙草の煙などが流れ込んで来ても、スロットマシン１の正面に発生しているマイナスイオンの作用によって煙草の煙が除去，消臭される。【選択図】　図１
2004065278.tif 000002
【特許請求の範囲】
【請求項１】
マイナスイオンを空気中に発生するマイナスイオン発生手段を機器本体表面に備えていることを特徴とする遊技機。
【請求項２】
前記マイナスイオン発生手段はトルマリンの粉末から成ることを特徴とする請求項１に記載の遊技機。
【請求項３】
回胴式遊技機において、ドアフレームの表面に前記トルマリンの粉末が付着していることを特徴とする請求項２に記載の遊技機。
【請求項４】
弾球遊技機において、遊技球を貯留する皿の表面に前記トルマリンの粉末が付着していることを特徴とする請求項２に記載の遊技機。
【発明の詳細な説明】
【０００１】
【発明の属する技術分野】
本発明は遊技機に関するものである。
【０００２】
【従来の技術】
従来から、パチンコ店では狭いスペースに多数の遊技機が並べられており、遊技者がこのような場所で長時間遊技していると、ストレスが蓄積しがちであった。また、狭い空間で同じ姿勢を持続することを健康的でないと感じる遊技者は少なくなかった。空気清浄機が無かったり、空気清浄機があってもそれが十分に機能していないパチンコ店では、ストレスが蓄積したり、また、健康的でないと感じるこの傾向がさらに強かった。
【０００３】
このようなパチンコ店の環境を改善するものとして、特開平１０−２９５９１７号公報にパチンコ遊技者用空気清浄装置付呼出ランプが開示されている。この呼出ランプには、外気を吸引するシロッコファンと吸引した外気を清浄化する空気清浄装置とが設けられている。シロッコファンによって吸引された煙草の煙などの粉塵粒子は、空気清浄装置内に設けられたイオナイザユニットで生成されるマイナスイオンによって負極性に帯電され、正極性の集塵電極によって吸着捕集されてパチンコ店内の空気は清浄化される。
【０００４】
また、特開平９−１２２３４８号公報には、パチンコ台の上方に位置する幕板部に設けられる、イオン化線を備えた電子式空気清浄機構が開示されている。このイオン化線の近傍には塵などを吸着する集塵紙が設けられており、イオン化線と集塵紙との間に電位差が生じることでマイナスイオンが発生する。塵などはこのイオン化線で生成されるマイナスイオンによって負極性に帯電され、正極性の集塵紙に吸着捕集されてパチンコ店内の空気は清浄化される。
【０００５】
また、実開平６−５６８７号公報に開示されているパチンコ台用空気清浄機は、送風機と放電極と集塵電極とを備えてパチンコ台の上部に配置されて構成されており、空気排出口と空気吸込口とが形成されている。送風機により空気吸込口を介して空気清浄機内部に吸い込まれたパチンコ店内の空気中の塵埃や煙は、放電極と集塵電極との間のコロナ放電によって分解及び脱臭殺菌され、負極性に帯電されて正極性の集塵電極に捕集される。こうして清浄化された空気は空気排出口より放出される。
【０００６】
【発明が解決しようとする課題】
しかしながら、上記の各空気清浄装置は、煙草の煙といった粉塵粒子などをマイナスイオンによって負極性に帯電させ、正極性の集塵電極に捕集して空気を清浄化するだけのものであり、遊技者は、遊技中に疲れやストレス及び眠気などを解消することが出来ずにいた。
【０００７】
また、上記の各空気清浄装置はパチンコ台上方の幕板部に設けられているため、遊技者が煙草を吸っていると、その煙が隣の遊技者の方に流れ込んでいくことがあり、隣の遊技者は健康的でないと感じていた。
【０００８】
【課題を解決するための手段】
本発明はこのような課題を解決するためになされたもので、マイナスイオンを空気中に発生するマイナスイオン発生手段を機器本体表面に備えていることを特徴とする。
【０００９】
この構成によれば、遊技者はマイナスイオン発生手段を機器本体表面に備えた遊技機に対面して遊技を行うため、呼吸の度にマイナスイオンを含んだ空気を吸い込むことになる。現在、マイナスイオンを多く含んだ空気を吸い込むと血液中の酸素濃度が増加すると共に、眠気や疲労を助長する神経伝達物質「セロトニン」が減少すると考えられている。
【００１０】
また、本発明は、マイナスイオン発生手段がトルマリンの粉末から成ることを特徴とする。
【００１１】
この構成によれば、トルマリンの粉末を溶剤に混ぜて既存の遊技機の機器本体表面に塗布したり、トルマリンの粉末を含有するフィルムや布などを既存の遊技機の機器本体表面に貼り付けたりすることで、マイナスイオン発生手段を備える遊技機を簡単に製作することが出来る。
【００１２】
また、本発明は、回胴式遊技機において、ドアフレームの表面にトルマリンの粉末が付着していることを特徴とする。
【００１３】
この構成によれば、ドアフレームの表面からマイナスイオンが発生する。
【００１４】
また、本発明は、弾球遊技機において、遊技球を貯留する皿の表面にトルマリンの粉末が付着していることを特徴とする。
【００１５】
この構成によれば、皿の表面からマイナスイオンが発生する。
【００１６】
【発明の実施の形態】
次に、本発明による遊技機をスロットマシンに適用した第１の実施形態について説明する。
【００１７】
図１は本実施形態によるスロットマシン１を示す正面図であり、図２（ａ）はスロットマシン１の右側面図、同図（ｂ）はその左側面図である。
【００１８】
スロットマシン１はキャビネット２の内部に回転リール（回胴）３や図示しないホッパ等を内蔵して構成されており、このキャビネット２の前部には、図１に斜線で示すドアフレーム４が開閉自在に設けられている。ドアフレーム４の正面側下部には、遊技者にメダルが払い出される払出口５と、払出口５から払い出されるメダルを貯留するメダル受け皿６と、遊技者の吸った煙草の灰が捨てられる灰皿７とが設けられている。また、メダル受け皿６の上部には、スロットマシン１のキャラクタ等が描かれた腰部パネル８が設けられている。また、ドアフレーム４の正面側上部には、回転リール３の外周に描かれた図柄を観察する表示窓９が備えられており、表示窓９には入賞ライン１０が示されている。表示窓９の下部には、メダルを投入するメダル投入口１１と、メダル投入後に回転リール３の回転移動を開始させるスタートレバー１２と、回転リール３の回転移動を停止させるストップボタン１３とが設けられている。また、表示窓９の上部には、各入賞に対してどれだけのメダルが払い出されるかを示す配当表示部１４が設けられている。
【００１９】
このスロットマシン１のドアフレーム４の表面には、粒径１０［μｍ］〜１［ｍｍ］のトルマリンの粉末が混ざった溶剤が塗布されることで、マイナスイオンを発生するマイナスイオン発生手段が備えられている。このマイナスイオン発生手段は、同様な粒径のトルマリンの粉末を含有するフィルムや布などをドアフレーム４の表面に貼り付けることによっても構成することが出来る。
【００２０】
上記の構成において、遊技者によってメダル投入口１１にメダルが投入されることによって遊技は開始される。回転リール３は遊技者によるスタートレバー１２の操作に応じて回転し、表示窓には回転リール３の図柄が列方向に回転移動表示される。遊技者は回転移動する図柄を観察しながらストップボタン１３を押して回転リール３の回転を停止させる。この停止時に、いずれかの入賞ライン１０上に所定の図柄組合せが揃うと入賞が発生し、その図柄組合せに応じた枚数のメダルが払出口５から払い出される。
【００２１】
このように遊技者がスロットマシン１で遊技している最中、トルマリンの粉末の作用によって、スロットマシン１のドアフレーム４の表面からマイナスイオンが発生し、遊技者に向けてこのマイナスイオンが放出されている。マイナスイオンは、血液の浄化作用、新陳代謝の活性化と抵抗力の増進作用を持ち、自然治癒力を高めるものと考えられている。また、体液や細胞、神経によい影響を与え、臓器や組織の機能を良好にし、自律神経と内分泌機能のバランスを調整すると考えられている。従って、こうして放出されたマイナスイオンを遊技者が吸い込むことで、遊技者の血液中の酸素濃度が増加すると共に、眠気や疲労を助長する神経伝達物質「セロトニン」は減少すると考えられる。
【００２２】
このような本発明の第１の実施形態によるスロットマシン１によれば、上述したように、遊技者は、マイナスイオン発生手段をドアフレーム４の表面に備えたスロットマシン１に対面して遊技を行うため、呼吸の度にマイナスイオンを含んだ空気を吸い込むことになる。このため、遊技者は、狭い空間で長時間続けて遊技してもマイナスイオンの作用によってストレスが蓄積しにくくなり、また、眠気や疲労を感じ難くなって遊技への集中力も持続する。また、隣の遊技台から煙草の煙などが流れ込んで来ても、マイナスイオンの作用によって煙草の煙が除去，消臭されるため、遊技店での遊技が健康的でないと遊技者に感じ難くさせることが出来る。
【００２３】
また、本実施形態では、マイナスイオン発生手段がトルマリンの粉末から成るため、既存のスロットマシン１のドアフレーム４の表面に、前述のように、トルマリンの粉末を塗布したり、貼り付けたりすることで、マイナスイオン発生手段を備えるスロットマシン１を簡単に製作することが出来る。このため、スロットマシン１の構造や機構を変更する必要が無く、マイナスイオン発生手段をスロットマシン１に導入する時の製作コストを低くすることが出来る。
【００２４】
また、本実施形態では、ドアフレーム４の表面にトルマリンの粉末が付着しているため、ドアフレーム４の表面からマイナスイオンが発生する。このため、スロットマシン１の本体表面の広範囲にマイナスイオンが発生するため、遊技者は、発生したマイナスイオンの多くを体に取り込むことが出来、マイナスイオンが遊技者に与える健康増進作用は向上する。また、一般的にドアフレーム４の近傍に灰皿７が設けられるため、遊技者の喫煙による煙草の煙の除去，消臭作用も向上する。
【００２５】
また、表示窓９の表面にトルマリンの粉末を付着させると透明度が下がり、回転リール３が見難くなる。また、腰部パネル８や配当表示部１４は、遊技者を引き付けるデザインを施したい部分であり、トルマリンの粉末を付着させると所望の色付けが出来ない。そこで、本実施形態では、ドアフレーム４の表面にトルマリンの粉末を付着させており、このようにトルマリンの粉末を付着させても、スロットマシン１のデザインの妨げにはならない。
【００２６】
次に、本発明による遊技機をパチンコ機に適用した第２の実施形態について説明する。
【００２７】
図３は本実施形態によるパチンコ機２０を示す正面図であり、図４（ａ）はパチンコ機２０に設けられた上皿２１の拡大斜視図、同図（ｂ）は下皿２２の拡大斜視図である。
【００２８】
パチンコ機２０は、正面上部に遊技盤面２３を備え、正面下部にはパチンコ球２４を貯留する図に斜線で示す上皿２１及び下皿２２が設けられている。上皿２１には下皿２２にパチンコ球２４を送り出す球抜きレバー２１ａが備えられており、下皿２２にはその下に置かれた容器にパチンコ球２４を移すための球抜きレバー２２ａが備えられている。下皿２２の右側には操作ハンドル２５が設けられており、下皿２２の左側には遊技者の吸った煙草の灰が捨てられる灰皿２６が設けられている。また、パチンコ機２０の左側には、カード挿入口２７ａを有するカードユニット２７が設けられている。また、上皿２１及び下皿２２の表面には、上述のスロットマシン１と同様に塗布されまたは貼り付けられたトルマリンの粉末によってマイナスイオンを発生するマイナスイオン発生手段が備えられている。
【００２９】
上記の構成において、遊技者がカード挿入口２７ａにカードを挿入してカードユニット２７を操作すると、その球貸し要求に応じて上皿２１にパチンコ球２４が供給される。上皿２１にパチンコ球２４が貯留された状態で遊技者が操作ハンドル２５を回すと、遊技は開始される。遊技者が操作ハンドル２５を回すと図示しない球発射装置によってパチンコ球２４が遊技領域内に打ち込まれ、障害釘などに弾かれながら遊技盤面２３を流下する。パチンコ球２４が遊技盤面２３を流下する最中に遊技盤面２３に設けられた入賞口に入ると、所定個数の賞球が払い出されて上皿２１に貯留される。また、遊技領域に打ち込まれたパチンコ球２４がいずれの入賞口にも入らなかった場合には、パチンコ球２４は遊技盤面２３の下部にあるアウト口に集められて回収される。
【００３０】
このように遊技者がパチンコ機２０で遊技している最中、トルマリンの粉末の作用によって、パチンコ機２０の上皿２１及び下皿２２の表面からマイナスイオンが発生し、遊技者に向けてこのマイナスイオンが放出されている。従って、こうして放出されたマイナスイオンを遊技者が吸い込むことで、遊技者の血液中の酸素濃度が増加すると共に、眠気や疲労を助長する神経伝達物質「セロトニン」は減少すると考えられる。
【００３１】
このような本発明の第２の実施形態によるパチンコ機２０によれば、上述した第１の実施形態におけるスロットマシン１のときと同様に、遊技者は、上皿２１及び下皿２２の表面にマイナスイオン発生手段を備えたパチンコ機２０に対面して遊技を行うため、呼吸の度にマイナスイオンを含んだ空気を吸い込むことになる。このため、遊技者は、狭い空間で長時間続けて遊技してもマイナスイオンの作用によってストレスが蓄積しにくくなり、また、眠気や疲労を感じ難くなって遊技への集中力も持続する。また、隣の遊技台から煙草の煙などが流れ込んで来ても、マイナスイオンの作用によって煙草の煙が除去，消臭されるため、パチンコ店での遊技が健康的でないと遊技者に感じ難くさせることが出来る。
【００３２】
また、本実施形態では、上述した第１の実施形態におけるスロットマシン１のときと同様に、マイナスイオン発生手段がトルマリンの粉末から成るため、トルマリンの粉末を溶剤に混ぜて既存のパチンコ機２０の上皿２１及び下皿２２の表面に塗布したり、トルマリンの粉末を含有するフィルムや布などを既存のパチンコ機２０の上皿２１及び下皿２２の表面に貼り付けたりすることで、マイナスイオン発生手段を備えるパチンコ機２０を簡単に製作することが出来る。このため、パチンコ機２０の構造や機構を変更する必要が無く、マイナスイオン発生手段をパチンコ機２０に導入する時の製作コストを低くすることが出来る。
【００３３】
また、本実施形態では、上皿２１及び下皿２２の表面にトルマリンの粉末が付着しているため、上皿２１及び下皿２２の表面からマイナスイオンが発生する。このため、遊技者の前面下方からマイナスイオンが発生するため、遊技者は、発生したマイナスイオンの多くを体に取り込むことが出来、マイナスイオンが遊技者に与える健康増進作用は向上する。また、一般的に下皿２２の近傍に灰皿２６が設けられるため、遊技者の喫煙による煙草の煙の除去，消臭作用も向上する。また、上皿２１及び下皿２２の表面にトルマリンの粉末を付着させても、パチンコ機２０のデザインの妨げにはならない。
【００３４】
なお、上述した各実施形態においては、本発明を回胴式遊技機であるスロットマシン１及び弾球遊技機であるパチンコ機２０に適用した場合について説明したが、これら以外の遊技機にも同様に本発明を適用することが出来、この場合においても上述した各実施形態と同様な作用効果が奏される。
【００３５】
【発明の効果】
以上説明したように本発明による遊技機によれば、遊技者はマイナスイオン発生手段を機器本体表面に備えた遊技機に対面して遊技を行うため、呼吸の度にマイナスイオンを含んだ空気を吸い込むことになる。このため、遊技者は、狭い空間で長時間続けて遊技してもマイナスイオンの作用によってストレスが蓄積しにくくなり、また、眠気や疲労を感じ難くなって遊技への集中力も持続する。また、隣の遊技台から煙草の煙などが流れ込んで来ても、マイナスイオンの作用によって煙草の煙が除去，消臭されるため、遊技店での遊技が健康的でないと遊技者に感じ難くさせることが出来る。
【００３６】
また、マイナスイオン発生手段がトルマリンの粉末から成る場合、トルマリンの粉末を溶剤に混ぜて既存の遊技機の機器本体表面に塗布したり、トルマリンの粉末を含有するフィルムや布などを既存の遊技機の機器本体表面に貼り付けたりすることで、マイナスイオン発生手段を備える遊技機を簡単に製作することが出来る。このため、遊技機の構造や機構を変更する必要が無く、マイナスイオン発生手段を遊技機に導入する時の製作コストを低くすることが出来る。
【００３７】
また、回胴式遊技機において、ドアフレームの表面にトルマリンの粉末が付着している場合、ドアフレームの表面からマイナスイオンが発生する。このため、機器本体表面の広範囲にマイナスイオンが発生するため、遊技者は、発生したマイナスイオンの多くを体に取り込むことが出来、マイナスイオンが遊技者に与える健康増進作用は向上する。また、一般的にドアフレームの近傍に灰皿が設けられるため、遊技者の喫煙による煙草の煙の除去，消臭作用も向上する。また、ドアフレームの表面にトルマリンの粉末を付着させても、遊技機デザインの妨げにはならない。
【００３８】
また、弾球遊技機において、遊技球を貯留する皿の表面にトルマリンの粉末が付着している場合、皿の表面からマイナスイオンが発生する。このため、遊技者の前面下方からマイナスイオンが発生するため、遊技者は、発生したマイナスイオンの多くを体に取り込むことが出来、マイナスイオンが遊技者に与える健康増進作用は向上する。また、一般的に皿の近傍に灰皿が設けられるため、遊技者の喫煙による煙草の煙の除去，消臭作用も向上する。また、皿の表面にトルマリンの粉末を付着させても、遊技機デザインの妨げにはならない。
【図面の簡単な説明】
【図１】本発明の第１の実施形態によるスロットマシンを示す正面図である。
【図２】（ａ）は本発明の第１の実施形態によるスロットマシンの右側面図、（ｂ）はその左側面図である。
【図３】本発明の第２の実施形態によるパチンコ機を示す正面図である。
【図４】（ａ）は本発明の第２の実施形態によるパチンコ機２０に設けられた上皿の拡大斜視図、（ｂ）はその下皿の拡大斜視図である。
【符号の説明】
１…スロットマシン
４…ドアフレーム
５…払出口
７、２６…灰皿
９…表示窓
２０…パチンコ機
２１…上皿
２２…下皿
２３…遊技盤面
２７…カードユニット
【図１】
2004065278.tif 000003
【図２】
2004065278.tif 000004
【図３】
2004065278.tif 000005
【図４】
2004065278.tif 000006